(57)【特許請求の範囲】
【請求項１】
外枠の前面下部に幕板が備えられるパチンコ機であって、
前記幕板は、前記外枠の枠内下部に前面側から嵌め込むことで位置決め可能に構成されるとともに、位置決め状態において前記幕板と前記外枠との間に設けられた係止手段によって係脱可能に抜け止めされることで前記外枠に固定される構成とされており、
前記外枠はアルミ合金製とされていると共に、該外枠の下部の横板部材は押し出し製作によってＣ形断面構造の角筒形として形成されて、長手方向の全長に亘って開口が形成されており、
前記係止手段は、係止溝とその係止溝に係脱可能な係止爪によって構成されるものであり、前記外枠の下部の横板部材に形成される開口を係止溝とし、前記幕板に回動可能に設けた係止爪を回動させて該開口の係止溝に係脱可能とする構成としたことを特徴とするパチンコ機。
【請求項２】
請求項１に記載のパチンコ機であって、
前記幕板は合成樹脂製であり、前記外枠の枠内下部に嵌合することで位置決めされる嵌合部と、その嵌合部の前面側に設けられるとともに前記外枠の下部前面を被う意匠面部とを備えた構造であることを特徴とするパチンコ機。
【発明の詳細な説明】
【０００１】
【発明の属する技術分野】
この発明は、パチンコ機に係り、詳しくは外枠の前面下部に備えられる幕板の取付技術に関する。
【０００２】
【従来の技術】
パチンコ機においては、外枠の前面下部に幕板と呼ばれる木製の板を備えている。従来の外枠は木製が一般的であることから、この木製の外枠の前面下部に木製の幕板をタッカー（鋲）止め（又は釘打ち）によって固着する構造であった。
【０００３】
【発明が解決しようとする課題】
従来のタッカーによる固着構造では、幕板を外枠から簡単に取り外すことができない。そのため、使用済みのパチンコ機を廃棄処分とする際に、例えば、外枠をパチンコ機の１つの構成部品として再利用しようとしても、外枠に固着されている幕板が再利用の妨げになるという問題がある。
【０００４】
本発明は、上述した従来の問題点に鑑みてなされたものであり、その目的とするところは、外枠に対して幕板を着脱することが可能なパチンコ機を提供することにある。
【０００５】
【課題を解決するための手段】
上記課題を達成するため、本発明に係るパチンコ機は、特許請求の範囲の各請求項に記載の通りの構成を備えた。
請求項１に記載の発明によれば、外枠の枠内下部に前面側から幕板を嵌め込んで位置決め後、係止手段によって抜け止めすることによって、外枠に対して幕板を固定することができ、また、係止手段による抜け止めを解除したときは、幕板を前面側へ引き抜くことによって外枠から取り外すことができる。このため、例えば使用済みのパチンコ機の廃棄処分に伴い、幕板と外枠との分離作業を容易に行うことができる。
【０００６】
この場合において、前記外枠はアルミ合金製とされていると共に、該外枠の下部の横板部材は押し出し製作によってＣ形断面構造の角筒形として形成されて、長手方向の全長に亘って開口が形成されている。このような構成を採用したときは、木材の外枠に比べて強度的に優れた耐久性のある外枠を提供できる。従って、パチンコ機を廃棄処分する際、外枠を新台のパチンコ機の一部品として再利用することができる。その場合、外枠に対して幕板が着脱可能とされているため、その幕板を新しいデザインの幕板と交換することによって新しい外枠として提供することができる。
また、前記係止手段は、係止溝とその係止溝に係脱可能な係止爪によって構成されるものであり、前記外枠の下部の横板部材に形成される開口を係止溝とし、前記幕板に回動可能に設けた係止爪を回動させて該開口の係止溝に係脱可能とする構成とした。このような構成を採用すれば、別途係止溝を設ける必要がなく、簡単な構造の係止手段を提供できる。
【０００７】
また、請求項２に記載の発明においては、幕板は合成樹脂製であり、外枠の枠内下部に嵌合することで位置決めされる嵌合部と、その嵌合部の前面側に設けられて外枠の下部前面を被う意匠面部とを備えた構造である。従って、請求項２に記載の発明によれば、外枠の枠内下部に嵌合可能な嵌合部と、外枠の前面下部を被う意匠面部とを備えた幕板を成形型を用いて容易にかつ安価に製作することができる。
【０００８】
【発明の実施の形態】
以下、本発明の実施の形態を図１〜図１３に基づいて説明する。図１は本実施の形態に係るパチンコ機における外枠を示す斜視図である。図２〜図５はそれぞれ外枠の構成部材における接合対象部材同士を分解した状態で示す斜視図である。図１に示すように、外枠１は対向状に配置される上下２本の横板部材２と、対向状に配置される左右２本の縦板部材３と、それら両部材２，３を接合するためにコーナ部に配置される４個のＬ形に形成された接合部材４とによって縦長の矩形枠状に形成されている。そして、上述した外枠１の構成部材は、アルミ合金によって製作されている。
【０００９】
４個の接合部材４は、水平部４１及び垂直部４２を有している。水平部４１及び垂直部４２は、図２〜図５に示すように、共に前後方向に長い矩形断面構造の角筒形に形成されるとともに、その前面及び後面には長手方向（筒孔）方向に所定長さで延びるスリット４１ａ，４２ａが形成されている。このうような構造の接合部材４は、精密鋳造法として知られるダイカストによって製作される。
【００１０】
横板部材２は、図２及び図３に示すように、接合部材４の水平部４１の筒孔内に嵌入し得るように、該水平部４１よりも一回り小さい略Ｃ形断面構造の角筒形、すなわち、一面に長手方向の全長に亘って延びる開口２ｂを有した角筒形に形成されるとともに、前後両面には水平部４１のスリット４１ａに対応する突条２ａを長手方向の全長に亘って備えている。
また、同様に、縦板部材３は、図４及び図５に示すように、接合部材４の垂直部４２の筒孔内に嵌入し得るように、該垂直部４２よりも一回り小さい略Ｃ形断面構造の角筒形、すなわち、一面に長手方向の全長に亘って延びる開口３ｂを有した角筒形に形成されるとともに、前後両面には垂直部４２のスリット４２ａに対応する突条３ａを長手方向の全長に亘って備えている。すなわち、横板部材２と縦板部材３は、長さを除いては、同一形状に形成されており、アルミ合金をダイスを通して押し出して成形する押し出し法によって製作される。
【００１１】
そして、上下２本の横板部材２は、開口２ｂを内側に向けた状態でその左右両端部が接合部材４における水平部４１の筒孔内に差し込まれ、ネジ５によって固定される。また、同様の要領で、左右の縦板部材３は、開口３ｂを内側に向けた状態でその上下両端部が接合部材４における垂直部４２の筒孔内に差し込まれ、ネジ６によって固定される。
【００１２】
この場合、横板部材２の突条２ａ及び縦板部材３の突条３ａは、それぞれ水平部４１のスリット４１ａ、垂直部４２のスリット４２ａに係合される。そして、スリット４１ａ，４２ａの端部に突条２ａ，３ａの端部が当接することで横板部材２及び縦板部材３の嵌め込み深さが規制される。すなわち、接合部材４に対して横板部材２及び縦板部材３がそれぞれ位置決めされる。この位置決め状態で、接合部材４における水平部４１及び垂直部４２と、横板部材２及び縦板部材３の端部に、それぞれ形成されたネジ止め用の取付孔４１ｂ，４２ｂ，２ｃ、３ｃを通してネジ５，６による枠外周側からの固定がなされ、かくして、規定寸法の横幅と高さを有する外枠１が組み付けられる。
【００１３】
なお、上記のように構成される外枠１において、その一側上下部（通常は左側上下部）には、遊技盤が一体に組み付けられた前枠（図示省略）を開閉可能に取り付けるためのヒンジ金具７，８が設けられるが、このヒンジ金具７，８の取付構造については、本発明とは直接関係しないため、その説明を省略する。
【００１４】
次に、外枠１に取り付けられる幕板９の取付構造を図６〜図１２に基づいて説明する。図６は幕板を示す斜視図、図７は外枠に幕板が取り付けられた状態の前面斜視図であり、図８は同じく後面斜視図である。また、図９は幕板の取付構造を示す後面斜視図であり、図１０及び図１１はそれぞれ幕板の取付構造を示す後面図である。図１２は図１０のＡ−Ａ線断面図、図１３は図１１のＢ−Ｂ線断面図である。
【００１５】
幕板９は合成樹脂製であり、外枠１の枠内下部に前面側から嵌め込むことによって上下方向及び左右方向の動きが規制された状態で位置決めされ、その位置決め状態で幕板９と外枠１との間に設けられるとともに相互に係脱可能な係止手段１０によって抜け止めされることで外枠１に着脱可能に固定される構成となっている。
【００１６】
幕板９は、図６に示すように、外枠１の枠内下部に前面側から嵌合可能な嵌合部９１と、その嵌合部９１の前面側に設けられる意匠面部９５とから構成されている。意匠面部９５は表面にデザイン（模様、色彩等）が付与された横長の板状に形成されており、幕板９が外枠１に取り付けられた態様では、外枠１の下部前面、すなわち、下側の接合部材４の前面及び下側の横板部材２の前面を被う（図７参照）ことが可能な前面広さを有している。
【００１７】
嵌合部９１は意匠面部９５の後面側に突出する態様で設けられる。嵌合部９１は横長のボックス９２と、そのボックス９２の下方に所定間隔を置いて設けられたプレート９３とから構成されている。ボックス９２の左右方向の長さは、左右の接合部材４における垂直部４２の内法寸法に等しく設定され、ボックス９２とプレート９３の間隔は、接合部材４の上面から下側の横板部材２の下面までの高さ方向の距離と等しい間隔に設定されている。
従って、嵌合部９１を外枠１の枠内下部に嵌合したとき、ボックス９２の左右端面が左右の垂直部４２の内面に当接（図８及び図９参照）されて横方向の移動が規制され、また、ボックス９２下面が接合部材４の水平部上面（内面）上に重なり、プレート９３の上面が下側の横板部材２の下面に重なる（図１１及び図１２参照）、すなわち、ボックス９２とプレート９３との間に接合部材４及び横板部材２が嵌まり込むことによって上下方向の移動が規制された状態で位置決めされる。なお、プレート９３は、接合部材４の板厚と等しい板厚に形成されており、横板部材２の下面に重なった状態ではその下面が接合部材４の下面と面一状態で整合され、外枠１の外面から下方へ突起物として突出しない設定としてある。
【００１８】
また、ボックス９２にはリブ９４が設定され、これによりボックス９２の剛性が高められている。上記のようにして外枠１の枠内下部に嵌合される幕板９は、嵌合位置から抜け出ないように係止手段１０によって抜け止めされる。係止手段１０は本実施の形態では、幕板９側に設けられる左右２個の係止爪１１と、下側の横板部材２に設けられるとともに、係止爪１１が係脱可能な係止溝１２とから構成されている。両係止爪１１は、略長円形状に形成されるとともに、ボックス９２の後面側に配置されており、リブ９４との交差部に設けたネジ孔にねじ込まれるネジ（ビス）１３によって長円形の長軸方向の一端部が水平軸線回りに回動可能に取り付けられている。一方、係止溝１２は横板部材２の開口２ｂによって構成されている。
【００１９】
従って、係止爪１１は幕板９を取り付けるに先立ち、図６に示すように、長円形状が上向き又は横向きとなるように回動される。そして、幕板９の嵌合部９１を外枠１の枠内下部に嵌め込んで位置決めしたのち、係止爪１１をその長円形状が下向きとなるように回動させて先端を係止溝１２内に差し込むことによって抜け止めする。かくして、幕板９は外枠１の枠内下部に固定されることになり、その固定状態が図８、図１０、図１２に示されている。
【００２０】
本実施の形態は、上記のように構成したものである。従って、本実施の形態によれば、外枠１の枠内下部に前面側から幕板９を嵌め込んで位置決めした後、左右２個の係止爪１１を回動して係止溝１２としての開口２ｂ内に係止することによって左右方向及び上下方向の動きを規制し、かつ抜け止めして固定することができる。一方、係止爪１１を係止溝１２から離脱してその係止を解除（図９、図１１、図１３参照）すれば、その後、幕板９を前面側へ引き抜くことによって外枠１から簡単に取り外すことができる。
【００２１】
また、本実施の形態では、外枠１をアルミ合金製としている。従って、従来の木製の外枠に比べて強度的に優れた耐久性のある高品質の外枠１を提供することができる。このため、パチンコ機の使用期間に対して外枠１の耐用期間が大幅に延長されることになり、その結果、パチンコ機を廃棄処分するに際しては、パチンコ機から取り外された外枠１は、新しいパチンコ機の外枠としての使用、いわゆる再使用が可能となる。この際、外枠１に取り付けられている幕板９は、該外枠１から取り外され、新しいパチンコ機に見合うようにデザインされた幕板に交換される。すなわち、本実施の形態によれば、このような幕板９の交換に簡単に対応することができる。
なお、再使用時において、外枠１の構成部材である一部の部品、例えば上側の横板部材２が損傷したような場合には、その横板部材２のみを新しいものと交換することによって対応することができる。また、部品交換に際しての分解及び組付けは、ネジ５による固定方式のため、ネジ５を取り外した状態で簡単に行うことができる。
【００２２】
また、本実施の形態においては、外枠１をアルミ合金製としたことによって金型を用いての成形となり、寸法精度の高い外枠１を得ることが可能となるため、初期及び部品交換時の組付けを容易に行うことができる。しかも横板部材２、縦板部材３及び接合部材４を、それぞれ中空の筒形に形成したので、軽量化を図りつつ所期の強度を確保することができる。また、幕板９を合成樹脂製としたことによって、金型を用いての成形となり、寸法精度が高く、意匠面部９５に凹凸模様を付ける等の形状の設定が自由な幕板９を低コストで得ることができる。
【００２３】
また、本実施の形態では、幕板９の係止手段１０として、係止爪１１とその係止爪１１が係脱される係止溝１２とから構成してあるため、簡単な構造の係止手段１０を提供でき、特に押し出し製作によって形成される開口２ｂを係止溝１２として利用しているため、別途に係止溝を設ける必要がなく、構造がより簡素化され、加工コストも低減する。
【００２４】
なお、本発明は上述した実施の形態に限定されるものではなく、その要旨を逸脱しない範囲内で適宜変更してもよい。
例えば、係止手段１０として合成樹脂製の弾性クリップを利用してもよい。弾性クリップとは、外枠１側に形成される貫通孔内に挿入するときに収縮し、挿入後は初期形状に弾性復帰して孔縁に係止し、抜け止めされる弾性変形可能な頭部を備えた構造のものをいう。ただし、この場合は、外枠１側である、接合部材４又は横板部材２には、弾性クリップが係脱可能な貫通孔を形成する必要がある。又は外枠１と幕板９との両方に位置決めされた状態で同心状に整合する孔を設け、その両孔にピン等を差し込んで抜け止めする構成にしてもよい。要するに、係止手段１０は外枠１の前面側から嵌め込まれた幕板９が抜け出ないように固定できる構造であればよい。
【００２５】
また、外枠１が、対向状に配置される上下２本の横板部材２と、対向状に配置される左右２本の縦板部材３と、それら両部材２，３を接合するためにコーナ部に配置される４個のＬ形に形成された接合部材４とによって構成される場合を記載したが、上記の構造に限定されるものではない。また、外枠１の材料についてもアルミ合金に限定するものではなく、樹脂製でもよい。また、幕板９の形状、特に嵌合部９１については、ボックス９２とプレート９３との組み合わせによって上下及び左右の動きを規制して位置決めするとしたが、要するに外枠１の下部に対して前方から嵌め込んだときに、上下方向と左右方向の動きを規制して位置決めできる構造であればよし、また幕板９の材料も合成樹脂に限定するものではない。
【００２６】
【発明の効果】
以上詳述したように、本発明によれば、外枠に対して幕板を着脱することが可能なパチンコ機を提供することができる。
【図面の簡単な説明】
【図１】本実施の形態に係るパチンコ機の外枠を示す斜視図である。
【図２】上側の横板部材と接合部材とを分解して示す斜視図である。
【図３】下側の横板部材と接合部材とを分解して示す斜視図である。
【図４】左側の縦板部材と接合部材とを分解して示す斜視図である。
【図５】右側の縦板部材と接合部材とを分解して示す斜視図である。
【図６】幕板を示す斜視図である。
【図７】幕板が取り付けられた外枠の前面斜視図である。
【図８】同じく後面斜視図であり、係止爪が係止溝に係止された固定状態を示す。
【図９】幕板の取付構造を示す後面斜視図であり、係止爪が係止溝から離脱された状態を示す。
【図１０】幕板の取付構造を示す後面図であり、係止爪が係止溝に係止された固定状態を示す。
【図１１】幕板の取付構造を示す後面図であり、係止爪が係止溝から離脱された状態を示す。
【図１２】図１０のＡ−Ａ線断面図である。
【図１３】図１１のＢ−Ｂ線断面図である。
【符号の説明】
１     外枠
２     横板部材
３     縦板部材
４     接合部材
９     幕板
１０   係止手段
１１   係止爪
１２   係止溝
９１   嵌合部
９２   ボックス
９３   プレート
９５   意匠面部
【図１】
0004004731.tif 000002
【図２】
0004004731.tif 000003
【図３】
0004004731.tif 000004
【図４】
0004004731.tif 000005
【図５】
0004004731.tif 000006
【図６】
0004004731.tif 000007
【図７】
0004004731.tif 000008
【図８】
0004004731.tif 000009
【図９】
0004004731.tif 000010
【図１０】
0004004731.tif 000011
【図１１】
0004004731.tif 000012
【図１２】
0004004731.tif 000013
【図１３】
0004004731.tif 000014